(57)【要約】【課題】  軸方向の全長をより短縮することができる減速機付ＰＭ形ステッピングモータを提供する。【解決手段】  一対のケーシング２０、２１と、これらの間に挟み込まれた固定子３０と、一方のケーシング２０に第１の軸受４０を介して支持されて固定子３０の内周に位置する回転子５０と、他方のケーシング２１に第２の軸受４１を介して支持された出力軸６０と、減速機構７０とから構成される。減速機構７０は、磁石支持筒５２の内側で回転軸５１に固定された太陽ギヤ７１と、その外周に噛み合う複数の遊星ギヤ７２ａ、７２ｂ、７２ｃと、ケーシング２０に支持されて開放端側から磁石支持筒５２の内側に入り込み、内周面に遊星ギヤに噛み合う内周ギヤ７３ａが形成されたギヤ支持筒７３と、遊星ギヤの軸を保持する一対の遊星枠７５ａ、７５ｂとを備える。遊星枠７５ａは出力軸６０を支持している。【選択図】  図１
2005051970.tif 000002
【特許請求の範囲】
【請求項１】
ケーシングと、
内周に向けた磁極と、該磁極を励磁するコイルとを備え、前記ケーシングに固定された固定子と、
前記ケーシングの軸方向の一方側に配置された第１の軸受を介して取り付けられた回転軸と、軸方向の一方側で前記回転軸に固定され、他方側が開放した有底円筒状の磁石支持筒と、該磁石支持筒の外周面に前記磁極に対して所定の空隙を介して対向するよう設けられ、円周方向に極性が交互に変化する多極の永久磁石とを備え、前記固定子の内周に配置された回転子と、
前記第１の軸受とは軸方向の反対側で前記ケーシングに配置された第２の軸受を介して前記回転軸と同軸に取り付けられた出力軸と、
前記磁石支持筒の内側で前記回転軸に固定された太陽ギヤと、該太陽ギヤの外周に噛み合う複数の遊星ギヤと、前記ケーシングに支持されて開放端側から前記磁石支持筒の内側に入り込み、内周面に前記遊星ギヤに噛み合う内周ギヤが形成されたギヤ支持筒と、前記複数の遊星ギヤを回転自在に支持する遊星ギヤ軸を保持すると共に、前記出力軸に固定された遊星枠とを備え、前記回転軸の回転を減速して前記出力軸に伝達する減速機構と、を有することを特徴とする減速機付永久磁石形ステッピングモータ。
【請求項２】
前記固定子は、複数の磁極組立体を固定子継鉄に装着して多相の固定子として構成され、前記各磁極組立体は、前記コイルが巻かれたボビンを内周側に複数の爪状の磁極が形成された一対の固定子磁極板により挟み込んで構成されることを特徴とする請求項１に記載の減速機付永久磁石形ステッピングモータ。
【発明の詳細な説明】
【技術分野】
【０００１】
本発明は、事務用機器、電子計算機用周辺機器、家電機器あるいは医療機器などに広く用いられている減速機付きの小形モータに関し、特に、減速機として遊星ギヤ減速機構を備える永久磁石形(ＰＭ形)ステッピングモータに関する。
【背景技術】
【０００２】
モータと、このモータの回転を減速して出力する減速機とを組み合わせた減速機付モータとしては、従来から例えば特許文献１、特許文献２に記載される技術が知られている。これらの文献に記載される減速機付モータは、いずれも、図４に示すように、モータ部１ａと減速機１ｂとが空間的に独立しており、これらを軸方向に並べて構成されている。したがって、モータ部１ａの長さと減速機１ｂの長さとの和が全体の長さとなる。
【０００３】
一方、上記の減速機付モータのモータ部１ａをステッピングモータとして構成する場合には、図５に示すようなＰＭ形ステッピングモータが利用可能である。図５に示すモータは、３相クローポール形のＰＭ形ステッピングモータであり、所定の間隔をおいて平行に配置されたプレート２ａ、２ｂに軸受３ａ、３ｂを介して回転可能に支持された回転軸４と、この回転軸４に固定された回転子５と、回転子５の外周を囲んでプレート２ａ、２ｂ間に固定された固定子６とを備えている。
【０００４】
回転子５は、回転軸４に固定された円筒状のコア５ａの外周面に円周方向に極性が交互に変化する多極の永久磁石５ｂを配置して構成されている。コア５ａは、鋼板等の磁性体又は非磁性体のアルミニウム或いはプラスチック等により形成されている。固定子６は、それぞれコイル７が巻かれたボビン８を内周側に複数の爪状の磁極が形成された一対の固定子磁極板９により挟み込んで構成される３つのリング状の磁極組立体６ａ、６ｂ、６ｃを軸方向に並列させて構成されている。
【０００５】
【特許文献１】特開２００２−３４９６４３号公報  図１
【特許文献２】特開２０００−１２０８１０号公報  図１
【発明の開示】
【発明が解決しようとする課題】
【０００６】
しかしながら、上述した特許文献１及び２に開示される減速機付モータは、モータ部１ａと減速機１ｂとがそれぞれ独立した空間を占有しているため、モータ部１ａの軸方向長さと減速機１ｂの軸方向長さの和が全長となり、軸方向の小型化が困難である。したがって、減速機付モータを機器に組み付ける際の取付方法にも制約があった。
【０００７】
本発明は、上述した従来技術の問題点に鑑み、軸方向の全長をより短縮することができる減速機付ＰＭ形ステッピングモータを提供することを目的とする。
【課題を解決するための手段】
【０００８】
本発明は、図５に示すような従来のＰＭ形ステッピングモータの回転子５の内部に破線で囲むような空間を確保し得ることに着目し、この空間に遊星ギヤ機構からなる減速機を内装することにより、軸方向の全長の短縮を図っている。
【０００９】
具体的には、本発明にかかる減速機付ＰＭ形ステッピングモータは、ケーシングと、内周に向けた磁極、及び磁極を励磁するコイルとを備え、ケーシングに固定された固定子と、ケーシングの軸方向の一方側に配置された第１の軸受を介して取り付けられた回転軸、軸方向の一方側で回転軸に固定され、他方側が開放した有底円筒状の磁石支持筒、磁石支持筒の外周面に磁極に対して所定の空隙を介して対向するよう設けられ、円周方向に極性が交互に変化する多極の永久磁石を備え、固定子の内周に配置された回転子と、第１の軸受とは軸方向の反対側でケーシングに配置された第２の軸受を介して回転軸と同軸に取り付けられた出力軸と、磁石支持筒の内側で回転軸に固定された太陽ギヤ、太陽ギヤの外周に噛み合う複数の遊星ギヤ、ケーシングに支持されて開放端側から磁石支持筒の内側に入り込み、内周面に遊星ギヤに噛み合う内周ギヤが形成されたギヤ支持筒、複数の遊星ギヤを回転自在に支持する遊星ギヤ軸を保持すると共に、出力軸に固定された遊星枠を備え、回転軸の回転を減速して出力軸に伝達する減速機構と、を有することを特徴とする。
【００１０】
上記構成によれば、固定子と回転子の永久磁石との間で作用する電磁力による回転子の回転に伴って太陽ギヤが回転し、これに噛み合う複数の遊星ギヤを回転させる。遊星ギヤは、ギヤ支持筒に形成された内周ギヤとも噛み合っているため、太陽ギヤの回転により自転しながら公転する。遊星枠は、各遊星ギヤの公転に伴って回転し、出力軸を回転させる。
【００１１】
固定子は、複数の磁極組立体を固定子継鉄に装着して多相の固定子として構成してもよい。この場合、各磁極組立体は、コイルが巻かれたボビンを内周側に複数の爪状の磁極が形成された一対の固定子磁極板により挟み込んで構成されることが望ましい。
【発明の効果】
【００１２】
本発明の請求項1の構成によれば、減速機構を構成する遊星ギヤ機構が回転子の内部空間内に配置されるため、モータ部の配置空間と減速機の配置空間とを一部重複させることができ、これにより軸方向の全長を従来より短縮し、コンパクトな減速機付ＰＭ形ステッピングモータを提供することができる。
【００１３】
また、請求項２の構成によれば、固定子を多相にすることでステップ角を小さくしてスムーズな回転が可能となり、安定した減速機構の出力を得ることができる。
【発明を実施するための最良の形態】
【００１４】
以下、この発明にかかる減速機付ＰＭ形ステッピングモータを実施するための最良の形態を図面に基づいて説明する。図１は、この形態の減速機付ＰＭ形ステッピングモータ１０の縦断側面図で、図２のＩ−Ｉ線に沿う断面図である。図２は図１のII−II線に沿う断面図、図３は図１の減速機付ＰＭ形ステッピングモータ１０の分解斜視図である。
【００１５】
まず、図１に基づいて本発明の減速機付PM形ステッピングモータの構成の概略を説明する。本発明の減速機付ＰＭ形ステッピングモータ１０は、互いに対向して配置された一対のケーシング２０、２１と、これらのケーシング２０、２１の間に挟み込まれて固定された固定子３０と、一方のケーシング２０に第１の軸受４０を介して回転可能に支持されて固定子３０の内周に位置する回転子５０と、他方のケーシング２１に第２の軸受４１を介して回転可能に支持された出力軸６０と、回転子５０の磁石支持筒５２内に配置された減速機構７０とから構成されている。なお、本実施の形態の減速機付ＰＭ形ステッピングモータ１０のモータ部分は、固定子３０と回転子５０とから構成される３相クローポール形のＰＭ形ステッピングモータである。
【００１６】
ケーシング２０、２１は、リング状のプレートの外周及び内周に円筒状のフランジを形成することにより構成され、互いにフランジを向かい合わせに対向させて配置されている。第１の軸受４０は、ケーシング２０の内周側フランジに固定され、第２の軸受４１は、ケーシング２１の内周側フランジに固定されている。
【００１７】
固定子３０は、それぞれコイル３１が巻かれたボビン３２を内周側に複数の爪状の磁極が形成された一対の固定子磁極板３３ａ、３３ｂにより挟み込んで構成される３個のリング状の磁極組立体３０ａ、３０ｂ、３０ｃを固定子継鉄３４の内周部で軸方向に並列させて３相の磁極体を構成するようにしている。例えば、中央の磁極組立体３０ｂは、図２に示すように、一方の固定子磁極板３３ａの内周に形成された磁極３３１と、他方の固定子磁極板３３ｂの内周に形成された磁極３３２とが円周方向に沿って交互に配列するよう構成されている。コイル３１に電流を流すことにより、電流の方向に応じてこれらの磁極３３１、３３２とが逆極性に励磁される。
【００１８】
固定子３０の内側に配置された回転子５０は、第１の軸受４０を介してケーシング２０に回転可能に取り付けられた回転軸５１と、軸方向の一方側(図１中左側)で回転軸５１に固定され、他方側(図１中右側)が開放した有底円筒状の磁石支持筒５２と、この磁石支持筒５２の外周面に固着された多極の永久磁石５３とを備えている。
【００１９】
磁石支持筒５２は、鋼板等の磁性体又はアルミニウム、或いはプラスチック等の非磁性体から成る薄肉の部材により形成されており、内部には空間が形成されている。永久磁石５３は、固定子３０の磁極３３１、３３２に対して所定の空隙を介して対向するよう設けられ、図３に示すように、円周方向に極性(Ｎ極、Ｓ極)が交互に変化するよう着磁されている。
【００２０】
減速機構７０は、磁石支持筒５２の内側で回転軸５１に固定された太陽ギヤ７１と、太陽ギヤ７１の外周に噛み合う複数（この例では３つ、図３参照）の遊星ギヤ７２ａ、７２ｂ、７２ｃと、ケーシング２１に支持されて開放端側（図１中右側）から磁石支持筒５２の内側に入り込み、内周面に遊星ギヤ７２ａ、７２ｂ、７２ｃに噛み合う内周ギヤ７３ａが形成されたギヤ支持筒７３と、複数の遊星ギヤ７２ａ、７２ｂ、７２ｃを回転自在に支持する遊星ギヤ軸７４ａ、７４ｂ、７４ｃを軸の両側で保持する一対の遊星枠７５ａ、７５ｂとを備える。
【００２１】
ギヤ支持筒７３は、図３に示すような内周ギヤ７３ａが形成された円筒状の部材であり、ケーシング２１から内周側に延びる支持アーム７３ｂ（図１参照）により、磁石支持筒５２の内周部に配置されている。ギヤ支持筒７３の外径寸法は、磁石支持筒５２の内径寸法より小さく、これらの間には空隙が存在する。
【００２２】
一方の遊星枠７５ａは、遊星ギヤ軸７４ａ、７４ｂ、７４ｃを支持すると共に、反対面側に突出した出力軸６０を支持している。出力軸６０は、回転軸５１と同軸である。他方の遊星枠７５ｂは、遊星ギヤ７２ａ、７２ｂ、７２ｃを挟んだ反対側で遊星ギヤ軸７４ａ、７４ｂ、７４ｃを支持しており、中心部には回転軸５１を貫通させる貫通孔が形成されている。
【００２３】
上記のように、太陽ギヤ７１、遊星ギヤ７２ａ、７２ｂ、７２ｃ、内周ギヤ７３ａを含む減速機構の大部分を回転子５０の磁石支持筒５２の内側に配置しているため、モータ部と減速機構との配置空間を一部重複させることができ、軸方向の全長を短く抑えることができる。
【００２４】
次に、上記の減速機付ＰＭ形ステッピングモータ１０の動作について説明する。
固定子３０を構成する３個の磁極組立体３０ａ、３０ｂ、３０ｃのコイル３１に所定のタイミングで順次電流を流すと、励磁される磁極と回転子５０の永久磁石５３との間に生じる３相交流磁界により回転子５０が回転する。ここで、図３に矢印で示すように、回転子５０の回転方向を時計回りとする。
【００２５】
回転子５０が回転すると、回転軸５１と一体に太陽ギヤ７１が時計回りに回転する。すると、太陽ギヤ７１に噛み合う３つの遊星ギヤ７２ａ、７２ｂ、７２ｃが反時計回りに回転する。遊星ギヤ７２ａ、７２ｂ、７２ｃは、固定された内周ギヤ７３ａにも噛み合っているため、反時計回りに自転しながら、時計回りに公転する。これらの遊星ギヤ７２ａ、７２ｂ、７２ｃの遊星ギヤ軸７４ａ、７４ｂ、７４ｃを保持する遊星枠７５ａ、７５ｂは、遊星ギヤ７２ａ、７２ｂ、７２ｃの公転により時計回りに回転する。この遊星枠７５ａの回転が出力軸６０の回転となり、太陽ギヤ７１と遊星ギヤ７２ａ、７２ｂ、７２ｃとのギヤ比で決まる減速比で回転子５０の回転が減速されて出力軸６０に伝達される。
【産業上の利用可能性】
【００２６】
事務用機器、医療機器、家電製品等の分野で、特に小形化が要求される用途に対して適用可能である。
【図面の簡単な説明】
【００２７】
【図１】本発明の実施の形態にかかる減速機付ＰＭ形ステッピングモータの縦断側面図であり、図２のＩ−Ｉ線断面図である。
【図２】図１の減速機付ＰＭ形ステッピングモータのII−II線断面図である。
【図３】図１の減速機付ＰＭ形ステッピングモータの分解斜視図である。
【図４】従来の減速機付モータの概略を示す側面図である。
【図５】従来のＰＭ形ステッピングモータの構造を示す断面図である。
【符号の説明】
【００２８】
１０：減速機付ＰＭ形ステッピングモータ
２０、２１：ケーシング
３０  固定子
３０ａ、３０ｂ、３０ｃ：磁極組立体
３１：コイル
３２：ボビン
３３ａ、３３ｂ：固定子磁極板
３４：固定子継鉄
４０：第１の軸受
４１：第２の軸受
５０：回転子
５１：回転軸
５２：磁石支持筒
５３：永久磁石
６０：出力軸
７０：減速機構
７１：太陽ギヤ
７２ａ、７２ｂ、７２ｃ：遊星ギヤ
７３：ギヤ支持筒
７３ａ：内周ギヤ
７３ｂ：支持アーム
７４ａ、７４ｂ、７４ｃ：遊星ギヤ軸
７５ａ、７５ｂ：遊星枠
３３１、３３２：磁極
【図１】
2005051970.tif 000003
【図２】
2005051970.tif 000004
【図３】
2005051970.tif 000005
【図４】
2005051970.tif 000006
【図５】
2005051970.tif 000007
【手続補正書】
【提出日】平成15年10月9日(2003.10.9)
【手続補正１】
【補正対象書類名】明細書
【補正対象項目名】００２２
【補正方法】変更
【補正の内容】
【００２２】
一方の遊星枠７５ａは、遊星ギヤ軸７４ａ、７４ｂ、７４ｃを支持すると共に、反対面側に突出した出力軸６０を固定している。出力軸６０は、回転軸５１と一体となっている。他方の遊星枠７５ｂは、遊星ギヤ７２ａ、７２ｂ、７２ｃを挟んだ反対側で遊星ギヤ軸７４ａ、７４ｂ、７４ｃを支持しており、中心部には回転軸５１を貫通させる貫通孔が形成されている。
【手続補正２】
【補正対象書類名】明細書
【補正対象項目名】００２５
【補正方法】変更
【補正の内容】
【００２５】
回転子５０が回転すると、回転軸５１と一体に太陽ギヤ７１が時計回りに回転する。すると、太陽ギヤ７１に噛み合う３つの遊星ギヤ７２ａ、７２ｂ、７２ｃが反時計回りに回転する。遊星ギヤ７２ａ、７２ｂ、７２ｃは、固定された内周ギヤ７３ａにも噛み合っているため、反時計回りに自転しながら、時計回りに公転する。これらの遊星ギヤ７２ａ、７２ｂ、７２ｃの遊星ギヤ軸７４ａ、７４ｂ、７４ｃを保持する遊星枠７５ａ、７５ｂは、遊星ギヤ７２ａ、７２ｂ、７２ｃの公転により時計回りに回転する。この遊星枠７５ａの回転が出力軸６０の回転となり、太陽ギヤ７１と内周ギヤ７３ａとのギヤ比で決まる減速比で回転子５０の回転が減速されて出力軸６０に伝達される。